(57)【要約】      （修正有）【課題】腕章本体が腕の同一箇所に対して恒常的に近接状態となることが防がれており、腕章本体と腕との間の通気性が優れた腕章を提供する。【解決手段】腕章は、腕章本体（１）と、柔軟性と曲げ反発性とを有する帯状の支持部材（３）と、前記支持部材を腕に対して固定するための装着具（２）とを具備している。前記支持部材は、一方の端部（３ａ）を前記腕章本体の上側に他方の端部（３ｃ）を前記腕章本体の下側に向けた状態で、前記一方の端部が前記腕章本体の内側面（１ｂ）の上側に結合されている。前記装着具は前記他方の端部に取り付けられている。前記他方の端部が腕に対して固定され、前記腕章本体は柔軟性を有する前記支持部材の前記一方の端部に結合されているため、前記腕章本体が腕の同一箇所に対して恒常的に近接状態となることが防がれている。【選択図】図５
0003115688.tif 000002
【実用新案登録請求の範囲】
【請求項１】
腕章本体と、
柔軟性と曲げ反発性とを有する帯状の支持部材と、
前記支持部材を腕に対して固定するための装着具と
を具備し、
前記支持部材は、一方の端部を前記腕章本体の上側に他方の端部を前記腕章本体の下側に向けた状態で、前記一方の端部が前記腕章本体の内側面の上側に結合されており、
前記装着具は前記他方の端部に取り付けられている
腕章。
【請求項２】
請求項１に記載の腕章であって、
ポリアミド繊維を用いた編地を前記支持部材に使用している
腕章。
【請求項３】
請求項１に記載の腕章であって、
前記支持部材は、帯状部材を折り曲げて形成されており、
前記帯状部材の両端が重ねられて前記一方の端部となされており、
前記帯状部材の折り曲げられた部分は前記他方の端部となされている
腕章。
【請求項４】
請求項１に記載の腕章であって、
前記腕章本体は、前記腕章本体の周囲長を調節可能な止め具を具えている
腕章。
【考案の詳細な説明】
【技術分野】
【０００１】
本考案は、腕章に関する。
【背景技術】
【０００２】
従来、安全ピンを用いて衣服に固定する腕章が知られている。このタイプの腕章においては、腕章を所望の位置に保持することと、安全ピンを操作することとを同時に片手で行わなければならないために装着が困難であった。また、安全ピンにより衣服を傷つけるという不都合があった。
【０００３】
そこで、腕章本体を腕に装着するための帯状又は紐状の装着具を具備することにより、安全ピンを用いずに腕に装着することが可能な腕章の発明又は考案がなされている。
【０００４】
特許文献１は、腕章の内面の一端にゴム紐の両端を固定し、同端の外面と他端の内面に腕章の止め具を設けたゴム紐付き腕章を開示している。このゴム紐付き腕章においては、まず輪状のゴム紐に腕を通して腕章の一端を腕に固定するので、腕章を腕に巻き付けることが片手でも簡単である。また、腕章は、ゴム紐で腕に固定されるために安全ピンで服に固定する必要がない。
【０００５】
特許文献２は、帯状で薄地の素材からなる本体と、伸縮性に優れた薄地の素材で本体より短く幅の狭い帯状であり、本体の裏側部に固定されている固定帯とからなり、腕に巻きつけ本体を止め具で装着すると、固定帯の収縮力によりずれ落ちなくなることを特徴とした腕章を開示している。
【０００６】
【特許文献１】特開平９−２８１８９５号公報
【特許文献２】特開２００３−１５９１０４号公報
【考案の開示】
【考案が解決しようとする課題】
【０００７】
本考案の目的は、腕章本体が腕の同一箇所に対して恒常的に近接状態となることが防がれており、腕章本体と腕との間の通気性が優れた腕章を提供することである。
【課題を解決するための手段】
【０００８】
以下に、（考案を実施するための最良の形態）で使用される番号を用いて、課題を解決するための手段を説明する。これらの番号は、（実用新案登録請求の範囲）の記載と（考案を実施するための最良の形態）との対応関係を明らかにするために付加されたものである。ただし、それらの番号を、（実用新案登録請求の範囲）に記載されている考案の技術的範囲の解釈に用いてはならない。
【０００９】
本考案による腕章は、腕章本体（１）と、柔軟性と曲げ反発性とを有する帯状の支持部材（３）と、前記支持部材を腕に対して固定するための装着具（２）とを具備している。前記支持部材は、一方の端部（３ａ）を前記腕章本体の上側に他方の端部（３ｃ）を前記腕章本体の下側に向けた状態で、前記一方の端部が前記腕章本体の内側面（１ｂ）の上側に結合されている。前記装着具は前記他方の端部に取り付けられている。
【００１０】
本考案による腕章においては、ポリアミド繊維を用いた編地を前記支持部材に使用している。
【００１１】
本考案による腕章においては、前記支持部材は、帯状部材を折り曲げて形成されている。ここで、前記帯状部材の両端が重ねられて前記一方の端部となされており、前記帯状部材の折り曲げられた部分は前記他方の端部となされている。
【００１２】
本考案による腕章においては、前記腕章本体は、前記腕章本体の周囲長を調節可能な止め具（１１、１２）を具えている。
【考案の効果】
【００１３】
本考案によれば、腕章本体が腕の同一箇所に対して恒常的に近接状態となることが防がれており、腕章本体と腕との間の通気性が優れた腕章が提供される。
【考案を実施するための最良の形態】
【００１４】
添付図面を参照して、本考案による腕章を実施するための最良の形態を以下に説明する。
【００１５】
本考案による腕章は、図１乃至図５に示すように、帯状の腕章本体１と、腕章を腕に装着したときに腕章本体１を支持する支持部材３と、支持部材３を腕に対して固定するための装着具２とを具備している。
【００１６】
図１は、本考案による腕章の表側面を示している。腕章本体１の表示面である本体表側面１ａにおいては、中央部に文字又は図形からなるマーク１３が付されている。また、腕章本体１は、一方の端部の本体表側面１ａに止め具１１を具えている。止め具１１は、腕章本体１の周方向に一定の範囲を占めて本体表側面１ａに設けられている面ファスナである。ここで、腕章本体１の周方向は、腕章本体１の長辺の方向である。マーク１３の上下は、腕章本体１の上下と一致している。ここで、腕章を腕に装着したときに肩に近い側が腕章本体１の上側であり、肩から遠い側が腕章本体の下側である。
【００１７】
図２は、本考案による腕章の裏側面を示している。腕章本体１の本体裏側面１ｂは、本体表側面１ａの反対側の面である。支持部材３は、幅よりも長さが大である帯状の形状をしている。支持部材３は、支持部材上部３ａを腕章本体１の上側に支持部材下部３ｃを腕章本体１の下側に向けた状態で、支持部材上部３ａが本体裏側面１ｂの中央部の上側に結合されている。支持部材３は、リベットのような結合具４により腕章本体１に対して結合されている。腕章本体１は、止め具１１を具えていない側の端部の本体裏側面１ｂに止め具１２を具えている。止め具１２は、止め具１１と係合可能な面ファスナであり、腕章本体１の周方向に一定の範囲を占めて本体裏側面１ｂに設けられている。
【００１８】
図３は、本考案による腕章の図２に示すＡ−Ａ’切断線による断面図を示している。支持部材３は、帯状部材を折り曲げて形成されている。支持部材上部３ａにおいては、帯状部材の両端が重ねられ、結合具４により腕章本体１に結合されている。帯状部材の折り曲げられた部分は、縫合部３ｘにおいて縫合されることで輪状部３ｃを形成している。支持部材３の一方の端部が指示部材上部３ａであり、他方の端部が輪状部３ｃとなっている支持部材下部３ｃである。支持部材上部３ａと支持部材下部３ｃとの間の部分は支持部材中央部３ｂである。支持部材上部３ａと支持部材下部３ｃとは、支持部材３の長さ方向の両端に位置している。輪状部３ｃには、伸縮性を有する素材により帯状に形成されている装着具２が通されて取り付けられている。装着具２と輪状部３ｃの断面はともに扁平であり、装着具２と輪状部３ｃとが嵌合しているため、支持部材３と装着具２とは相対的に回転しない。支持部材３を形成している帯状部材は、ポリアミド繊維を用いた編地であり、柔軟性と曲げ反発性とを有している。ポリアミド繊維を用いた編地から成り、柔軟性と曲げ反発性とを有している帯状部材は、リュックサックのストラップ等に広く用いられている。支持部材３においては帯状部材が折り曲げられて二重になっているため、支持部材３の曲げ反発性は高い。
【００１９】
図２及び図４を用いて装着具２について説明する。図４は、図２に示す本考案による腕章において、支持部材３を１８０度折り返した状態を示している。装着具２の装着具裏側面２ｂは、図２において、本体裏側面１ｂと対向している。装着具裏側面２ｂの反対側の面が装着具表側面２ａである。装着具２は、一方の端部の装着具表側面２ａに止め具２１を具え、他方の端部の装着具裏側面２ｂに止め具２２を具えている。止め具２１と止め具２２とは、互いに係合可能な面ファスナであり、それぞれ装着具２の周方向に一定の範囲を占めて設けられている。ここで、装着具２の周方向は、装着具２の長さ方向である。本考案による腕章は、図４において支持部材３を１８０度折り返すために加えている力を除くと、支持部材３の曲げ反発性のために図２に示す状態に戻る。
【００２０】
図５は、本考案による腕章を腕に装着した状態を示している。本考案による腕章を腕に装着するときには、はじめに、装着具２を腕に巻きつけて止め具２１と止め具２２とを止着し、つぎに、腕章本体１を筒状にして止め具１１と止め具１２とを止着する。腕章を装着した状態においては、装着具表側面２ａは装着具２の内周面となり、装着具裏側面２ｂは装着具２の外周面となる。また、本体表側面１ａは腕章本体１の外周面となり、本体裏側面１ｂは腕章本体１の内周面となる。本考案による腕章においては、腕章を装着する者の腕の太さに合わせて止め具２１と止め具２２との止着位置を調節することができる。また、装着具２が伸縮性を有しているため、支持部材下部３ｃが腕に対して確実に固定される。本考案による腕章においては、支持部材下部３ｃが腕に対して固定され、腕章本体１は柔軟性を有する支持部材３の支持部材上部３ａに結合されているため、腕章本体１が腕の同一箇所に対して恒常的に近接状態となることが防がれている。したがって、本考案による腕章においては、腕章本体１と腕との間の通気性が優れているため、腕章を装着している腕が汗ばむことが防がれている。また、支持部材３が曲げ反発性を有しているため、腕章本体１は腕に対して適切な位置に保持される。さらに、止め具２１と止め具２２との止着位置を調節して腕章本体１の周囲長を調節することが可能であるため、腕章本体１と腕との間に適度な隙間を設けることができる。
【図面の簡単な説明】
【００２１】
【図１】図１は、本考案による腕章の表側面を示す図である。
【図２】図２は、本考案による腕章の裏側面を示す図である。
【図３】図３は、本考案による腕章の断面図である。
【図４】図４は、本考案による腕章において、装着具の裏側面を示す図である。
【図５】図５は、本考案による腕章において、腕に装着した状態を示す図である。
【符号の説明】
【００２２】
１…腕章本体
１ａ…本体表側面（表示面）
１ｂ…本体裏側面
２…装着具
２ａ…装着具表側面
２ｂ…装着具裏側面
３…支持部材
３ａ…支持部材上部
３ｂ…支持部材中央部
３ｃ…支持部材下部（輪状部）
３ｘ…縫合部
４…結合具
１１、１２、２１、２２…止め具
１３…マーク
【図１】
0003115688.tif 000003
【図２】
0003115688.tif 000004
【図３】
0003115688.tif 000005
【図４】
0003115688.tif 000006
【図５】
0003115688.tif 000007